(57)【要約】【課題】印刷用紙の版胴からの剥離性能を向上し、ファーストプリント工程に要する時間を短縮すること。【解決手段】製版済み孔版原紙を版胴に巻装すると共に印刷用紙に印刷を施すファーストプリント工程において、版胴に所定量が巻装された製版済み孔版原紙を切断するためにブレーキ手段の制動力により回転を停止させた版胴が、ブレーキ手段の制動力を解除すると同時に加速しながら回転駆動されるように、ブレーキ手段の制動力の解除前に予めモータのドライブ回路にＰＷＭ信号を入力させておく。【選択図】　　　図４
2004122679.tif 000002
【特許請求の範囲】
【請求項１】
孔版原紙を製版する製版部と、
前記製版部にて製版された前記孔版原紙を外周に巻装して自身の中心軸線の周りに回転駆動される版胴と、
印刷用紙を前記版胴との間に挟んで搬送することで前記印刷用紙に印刷を施す押圧部と、
前記版胴と前記押圧部との間に前記印刷用紙を供給する給紙部と、
前記版胴及び前記押圧部により印刷がなされた前記印刷用紙を排紙する排紙部と、
駆動信号の入力に応じて前記版胴を回転駆動する駆動部と、
前記版胴の回転を制動する制動手段と、
製版済み孔版原紙を前記版胴に巻装すると共に前記印刷用紙に印刷を施すファーストプリント工程において、前記版胴に所定量が巻装された前記製版済み孔版原紙を切断するために前記制動手段の制動力により回転を停止させた前記版胴が、前記制動手段の制動力を解除すると同時に加速しながら回転駆動されるように、前記制動手段の制動力の解除前に予め前記駆動部に前記駆動信号を入力させる制御部と
を有することを特徴とする孔版印刷装置。
【請求項２】
前記制御部は、前記ファーストプリント工程においては、通常の印刷工程より低速で前記版胴を回転させるように前記駆動信号を前記駆動部に入力させること
を特徴とする請求項１に記載の孔版印刷装置。
【請求項３】
前記駆動信号は、パルス幅変調信号であること
を特徴とする請求項１または請求項２のいずれかに記載の孔版印刷装置。
【請求項４】
孔版原紙を製版する製版部と、前記製版部にて製版された前記孔版原紙を外周に巻装して自身の中心軸線の周りに回転駆動される版胴と、印刷用紙を前記版胴との間に挟んで搬送することで前記印刷用紙に印刷を施す押圧部と、前記版胴と前記押圧部との間に前記印刷用紙を供給する給紙部と、前記版胴及び前記押圧部により印刷がなされた前記印刷用紙を排紙する排紙部と、駆動信号の入力に応じて前記版胴を回転駆動する駆動部と、前記版胴の回転を制動する制動手段とを有する孔版印刷装置の制御方法であって、
製版済み孔版原紙を前記版胴に巻装すると共に前記印刷用紙に印刷を施すファーストプリント工程において、前記制動手段の制動力により前記版胴の回転を停止させ、前記版胴に所定量が巻装された前記製版済み孔版原紙を切断し、
前記制動手段の制動力の解除前に予め前記駆動部に前記駆動信号を入力し、
前記制動手段の制動力を解除し、解除と同時に前記版胴を加速しながら回転駆動させること
を特徴とする孔版印刷装置の制御方法。
【発明の詳細な説明】
【０００１】
【発明の属する技術分野】
本発明は、製版された孔版原紙を版胴の外周面に巻き付け、版胴と押圧部の間に印刷用紙を挟みながら搬送して印刷を行う孔版印刷装置及びその制御方法に関する。
【０００２】
【従来の技術】
所望画像が感熱穿孔された孔版原紙を、回転駆動される版胴の外周に巻装し、版胴の内部から供給されるインクを孔版原紙の穿孔部分から通過させて印刷用紙に転移させて所望する画像を印刷する孔版印刷装置が知られている。
【０００３】
版胴の外周面にはクランプ手段が設けられており、製版された孔版原紙は、その先端がクランプ手段によって固定されることにより、版胴の外周面に巻装される。一方、版胴の近傍には押圧手段が設けられており、印刷用紙が、版胴と押圧手段の間に供給され、版胴と押圧手段によって挟まれることにより、印刷用紙上への印刷処理が行われる。そして、印刷処理がなされた印刷用紙は版胴と駆動源を同一とする排出装置を経て排紙トレイに排出される。
【０００４】
このような孔版印刷装置では、通常の印刷工程に入る前に、孔版原紙を製版して版胴の外周面に巻き付け、試し刷り印刷を行う「ファーストプリント」工程を実行する。ファーストプリント工程では、通常の印刷工程よりも遅い速度で版胴を回転させながら、原稿の画像データが加熱穿孔された孔版原紙を版胴に巻き付けると共に、版胴と押圧手段の間に印刷用紙を送り込む。そして、印刷用紙上への印刷処理が完了すると、版胴から印刷用紙を剥離し、版胴と駆動源を同一とする排出装置を経て印刷用紙を排紙トレイに排出する。
【０００５】
ところで、ファーストプリント工程においては、製版された孔版原紙を版胴に定着させるために、通常の印刷工程における回転速度よりも遅い速度で版胴を回転させる。そのために、インクの粘着力などにより印刷用紙が版胴に貼り付いてしまうことがある。
【０００６】
そこで、本出願人は、ファーストプリント工程において、孔版原紙を確実に着版させると共に、印刷用紙の排紙性を向上させる孔版印刷装置を提案している（特許文献１参照）。
【０００７】
また、本出願人は、分離ポンプを搭載し、印刷用紙と版胴の間に分離ポンプからエアを吐出することにより版胴から印刷用紙を剥離する孔版印刷装置を提案している（特許文献２参照）。
【０００８】
【特許文献１】
特開２００１−０３０６０３号公報
【０００９】
【特許文献２】
特開２００１−１６２９１８号公報
【００１０】
【発明が解決しようとする課題】
しかしながら、孔版印刷装置に分離ポンプを搭載することは、駆動源に対する大きな負荷になるのと同時に、駆動源及び電源ユニットを小型化することが難しくなる。また、分離ポンプを駆動するための電力も必要となる。
【００１１】
そこで、版胴の回転を停止して孔版原紙を切断した後、版胴を加速することにより、分離モータを搭載せずに印刷用紙を剥離する方法が考えられる。しかし、版胴を回転するモータは、一般にＰＷＭ（Ｐｕｌｓｅ　Ｗｉｄｔｈ　Ｍｏｄｕｌａｔｉｏｎ　：　パルス幅変調）信号の入力に応じて回転を開始するために、図５に示すように、ＰＷＭ信号を入力してから版胴が回転するまでに遅延時間Δｔが生じ、ファーストプリント工程に要する時間が長くなる上に、版胴を回転させる加速度が鈍いために印刷用紙を版胴から必ずしも剥離することができない。
【００１２】
本発明は、以上に述べた状況を鑑みて成されたものであり、ファーストプリント工程において、印刷用紙の版胴からの剥離性能を向上し、さらに、ファーストプリント工程に要する時間を短縮できる、孔版印刷装置及びその制御方法を提供することを目的とする。
【００１３】
【課題を解決するための手段】
本発明の孔版印刷装置は、（ａ）孔版原紙を製版する製版部と、（ｂ）前記製版部にて製版された前記孔版原紙を外周に巻装して自身の中心軸線の周りに回転駆動される版胴と、（ｃ）印刷用紙を前記版胴との間に挟んで搬送することで前記印刷用紙に印刷を施す押圧部と、（ｄ）前記版胴と前記押圧部との間に前記印刷用紙を供給する給紙部と、（ｅ）前記版胴及び前記押圧部により印刷がなされた前記印刷用紙を排紙する排紙部と、（ｆ）駆動信号の入力に応じて前記版胴を回転駆動する駆動部と、（ｇ）前記版胴の回転を制動する制動手段と、（ｈ）製版済み孔版原紙を前記版胴に巻装すると共に前記印刷用紙に印刷を施すファーストプリント工程において、前記版胴に所定量が巻装された前記製版済み孔版原紙を切断するために前記制動手段の制動力により回転を停止させた前記版胴が、前記制動手段の制動力を解除すると同時に加速しながら回転駆動されるように、前記制動手段の制動力の解除前に予め前記駆動部に前記駆動信号を入力させる制御部とを有することを特徴とする。
【００１４】
また、本発明の孔版印刷装置の制御方法は、孔版原紙を製版する製版部と、前記製版部にて製版された前記孔版原紙を外周に巻装して自身の中心軸線の周りに回転駆動される版胴と、印刷用紙を前記版胴との間に挟んで搬送することで前記印刷用紙に印刷を施す押圧部と、前記版胴と前記押圧部との間に前記印刷用紙を供給する給紙部と、前記版胴及び前記押圧部により印刷がなされた前記印刷用紙を排紙する排紙部と、駆動信号の入力に応じて前記版胴を回転駆動する駆動部と、前記版胴の回転を制動する制動手段とを有する孔版印刷装置の制御方法であって、製版済み孔版原紙を前記版胴に巻装すると共に前記印刷用紙に印刷を施すファーストプリント工程において、前記制動手段の制動力により前記版胴の回転を停止させ、前記版胴に所定量が巻装された前記製版済み孔版原紙を切断し、前記制動手段の制動力の解除前に予め前記駆動部に前記駆動信号を入力し、前記制動手段の制動力を解除し、解除と同時に前記版胴を加速しながら回転駆動させることを特徴とする。
【００１５】
すなわち、孔版原紙を切断するために制動手段の制動力により版胴の回転を停止中に、予め駆動部に駆動信号を入力し駆動部の駆動回路を起動しておく。そして、制動手段の制動力を解除すると、解除と同時に駆動部により版胴が回転されるため、遅延時間を発生させることなく版胴の回転を開始することができ、ファーストプリント工程に要する時間を短縮できる。
【００１６】
さらに、制動手段の制動力の解除と同時に、版胴は所定の回転速度に向かって急加速しながら回転駆動されるため、急加速による強い遠心力によって印刷用紙と版胴の間に空気が挿入され、その結果、版胴に貼り付いた印刷用紙も容易に版胴から剥離される。
【００１７】
従って、通常の印刷工程より低速で版胴を回転させるファーストプリント工程においても、あるいは、信号入力から回転するまでに遅延を生じるパルス幅変調信号を用いて回転制御をする場合においても、効果的である。
【００１８】
【発明の実施の形態】
以下、図面を参照して、本発明の実施の形態について説明する。
【００１９】
なお、各図面を通じて同一もしくは同等の部位や構成要素には、同一もしくは同等の参照符号を付し、その説明を省略もしくは簡略化する。
【００２０】
［孔版印刷装置の構成］
図１に示すように、本実施の形態による孔版印刷装置１は、原稿の画像を読み取る画像読み取り部２と、画像読み取り部２で読み取られた画像のデータに基づいて孔版原紙３を製版する製版部４と、製版部４で製版された孔版原紙３を用いて印刷用紙２０に印刷する印刷部５と、印刷用紙２０を印刷部５に供給する給紙部２６と、印刷された印刷用紙２０を排出する排紙部３０と、使用済みの孔版原紙３を廃棄する排版部３６を有している。
【００２１】
画像読み取り部２は、原稿を載置するための原稿載置部６と、原稿載置部６の原稿を読み取り位置に供給する供給装置７と、読み取り手段８を有している。読み取り手段８は、ベルト９とプーリ１０を有する往復移動手段１１を有している。往復移動手段１１のベルト９にはイメージセンサ１２が取り付けられている。イメージセンサ１２は、読み取り位置に設定された原稿の下側を移動しなが原稿の画像を読み取る。
【００２２】
製版部４は、製版手段１３と、孔版原紙３の搬送手段１４と、カッター部１５を有している。製版手段１３は、サーマルヘッド１６とプラテンローラ１７を有する。製版部４にはロール状の孔版原紙３が格納されており、製版手段１３で製版された孔版原紙３は搬送手段１４に搬送されて後述する印刷部５に送られ、カッター部１５が孔版原紙３を切断する。
【００２３】
印刷部５は、版胴１８と、版胴１８との間に印刷用紙２０を挟んで搬送する押圧手段としての押圧ローラ１９を有している。本実施の形態における版胴１８はインク通過性の剛性の周壁を有している。版胴１８は、駆動手段であるモータ５０によって自身の中心軸線２１の周りに回転駆動される。版胴１８の内部にはインキ供給手段２２が設けられている。インキ供給手段２２は、周壁の内周面に接するインキ供給ローラ２３と、インキ供給ローラ２３に所定量のインキを供給するドクターローラ２４と、ドクターローラ２４とインキ供給ローラ２３の間に所定量のインキを供給する図示しないインキ供給管とを有している。
【００２４】
版胴１８の周壁の外周面には、孔版原紙３の先端を保持するクランプ手段２５が設けられている。孔版原紙３は、製版部４で製版された後、その先端をクランプ手段２５によって保持され、版胴１８の回転に伴って周壁の外周面に巻装される。
【００２５】
版胴１８の下方には、押圧ローラ１９が回転可能に設けられている。押圧ローラ１９と版胴１８は平行である。押圧ローラ１９は所定範囲で昇降可能である。押圧ローラ１９は版胴１８の回転に同期して昇降し、供給された印刷用紙２０を版胴１８との間に挟んで押圧する。印刷用紙２０は、版胴１８と押圧ローラ１９によって挟まれて搬送される間に印刷される。
【００２６】
給紙部２６は、印刷用紙２０を積載する給紙台２７と、給紙台２７から印刷用紙２０を一枚ずつ取り出す給紙ローラ２８及紙捌きローラ２９と、印刷用紙２０を所定のタイミングで版胴１８と押圧ローラ１９の間に送り込むタイミングローラ対４０を有している。
【００２７】
排紙部３０は、印刷用紙２０を版胴１８から引き離す用紙分離爪３１と、印刷済みの印刷用紙２０を搬送する排紙手段３２と、排紙手段３２に運ばれた印刷用紙２０を積載して載置する排紙台３３を有している。この実施の形態の排紙手段３２は、複数対のプーリ３５と、これらプーリ３５に掛け回された複数のベルト３４を有している。ベルト３４の下方には吸引手段が設けられている。吸引手段は印刷用紙２０を吸引してベルト３４に保持する。プーリ３５は版胴１８のモータ５０によって駆動される。即ち、版胴１８と排紙手段３２は連動しており互いに同期して駆動される。版胴１８が早く回転して印刷速度が上がると、排紙手段３２による印刷用紙２０の搬送速度（排紙速度）も速くなる。
【００２８】
排版部３６は、使用済みの孔版原紙３を版胴１８から剥がす原紙分離爪３７と、版胴１８から剥がした孔版原紙３を取り込んで搬送する排版ローラ３８と、排版ローラ３８によって搬送された孔版原紙３を収納する排版箱３９を有している。
【００２９】
［孔版印刷装置の制御系の構成］
孔版印刷装置１の制御系は、図２に示すように、孔版印刷装置１を全体的に統括して制御する制御手段（ＣＰＵ）７０を備える。また、制御手段７０は、版胴１８と排紙手段３２を駆動するモータ５０の駆動制御を行うドライブ回路５５に接続されており、ＰＷＭ信号をドライブ回路５５入力することによりモータ５０を起動する。さらに、制御手段７０は、版胴１８の回転を制動力により停止するブレーキ手段（制動手段）６０に接続されている。
【００３０】
制御手段７０は、「ファーストプリント」工程において、ブレーキ手段６０の制動力により版胴１８の回転を停止させ、版胴１８に所定量が巻装された製版済み孔版原紙３をカッター部１５により切断させる。そして、ブレーキ手段６０の制動力の解除前、つまりブレーキ手段６０の制動力により版胴１８の回転を停止させている間に、予め駆動信号であるＰＷＭ信号をドライブ回路５５に入力する。その後、ブレーキ手段６０の制動力を解除すると、ドライブ回路５５に予め入力されていたＰＷＭ信号により、制動力の解除と同時にモータ５０が版胴１８を所定の回転速度に向かって急加速しながら回転駆動する。
【００３１】
［ファーストプリント工程］
次に、図３に示すフローチャートと図４に示すタイミングチャートを参照して、ファーストプリント工程を実行する際の孔版印刷装置１の処理動作について説明する。
【００３２】
図３のフローチャートに示す処理は、ユーザが、孔版印刷装置１の操作パネル（図示省略）を操作してファーストプリント工程の実行を指示することで処理が開始される。
【００３３】
ステップＳ１の処理において、孔版印刷装置１の制御手段７０が、製版部４を制御して製版処理の開始を指示する。すると、画像読み取り部２で原稿画像が読み取られ、得られた画像情報に基づいて製版部４で孔版原紙３が製版され、製版された孔版原紙３は着版位置にある版胴１８に供給される。そして、制御手段７０は、印刷部５を制御して製版処理された孔版原紙３の先端をクランプ手段２５によって保持させる。
【００３４】
ステップＳ２の処理において、制御手段７０は、ドライブ回路５５にＰＷＭ信号を入力してモータ５０を駆動し、版胴１８を回転させる。このとき、制御手段７０は、通常の印刷工程における版胴１８の回転速度（例えば、６０ｒｐｍ）より遅い回転速度（例えば、１５ｒｐｍ〜２０ｒｐｍ）で版胴１８を回転させるように、ＰＷＭ信号をドライブ回路５５に入力する。
【００３５】
ステップＳ３の処理において、制御手段７０が、版胴１８の回転に応じて、給紙部２６を制御して版胴１８と押圧ローラ１９の間に印刷用紙２０を供給する。供給された印刷用紙２０は、押圧ローラ１９によって版胴１８に押圧され、孔版原紙３を確実に版胴１８に定着させると共に、この印刷用紙２０が「ファーストプリント」となる。
【００３６】
ステップＳ４の処理において、制御手段７０は、所定量の孔版原紙３が版胴１８に巻装されたタイミングで、ドライブ回路５５へのＰＷＭ信号の入力を停止すると共に、ブレーキ手段６０を制御してブレーキ手段６０の制動力により版胴１８の回転を停止させる（図４における、時刻ｔ＝Ｔ１　）。
【００３７】
ステップＳ５の処理において、制御手段７０は、製版部４を制御して孔版原紙３をカッター部１５により切断させる。
【００３８】
ステップＳ６の処理において、制御手段７０は、ブレーキ手段６０を制御してブレーキ手段６０の制動力によって版胴１８の回転を停止させたまま、ファーストプリント工程における所定の回転速度（例えば、１５ｒｐｍ〜２０ｒｐｍ）で版胴１８が回転するようなＰＷＭ信号を、ドライブ回路５５に入力する（図４における、時刻ｔ＝Ｔ２　）。
【００３９】
ステップＳ７の処理において、制御手段７０は、ブレーキ手段６０を制御してブレーキ手段６０の制動力を解除する（図４における、時刻ｔ＝Ｔ３　）。すると、ステップＳ６に処理にてドライブ回路５５に予め入力されていたＰＷＭ信号により、制動力の解除と同時にモータ５０が版胴１８を急加速しながら回転駆動する。これにより、版胴１８は急加速で回転し、版胴１８と印刷用紙２０の間に空気が挿入され、用紙分離爪３１によって印刷用紙２０が版胴１８から剥離される。そして、版胴１８から剥離した印刷用紙２０は排紙部３０から排紙される。
【００４０】
以上の説明から明らかなように、本実施の形態による孔版印刷装置１においては、孔版原紙３を切断するためにモータ５０を停止させている間に、ブレーキ手段６０の制動力でモータ５０を停止した状態で、モータ５０のドライブ回路５５にＰＷＭ信号を入力しておく。ブレーキ手段６０の解除と同時に版胴１８を回転することができるので、図４のタイミングチャートに示すように、ブレーキ手段６０の制動力解除と同時に、遅延時間Δｔを発生させることなく版胴１８の回転が開始され、ファーストプリント工程に要する時間を短縮できる。また、版胴１８が急加速することで所定の回転速度に到達するまでに要する時間（加速時間Δα１　）も短縮され（８０ｍｓ　程度）ことから、ファーストプリント工程に要する時間を短縮できる。
【００４１】
さらに、ブレーキ手段６０の制動力の解除と同時に、版胴１８は所定の回転速度（例えば、１５ｒｐｍ〜２０ｒｐｍ）に向かって急加速しながら回転駆動されるため、急加速による強い遠心力によって印刷用紙２０と版胴１８の間に空気が挿入され、その結果、分離ポンプを用いなくても、版胴１８に貼り付いた印刷用紙２０が剥離される。
【００４２】
それに対して、図５のタイミングチャートに比較例を示すように、ブレーキ手段６０の制動力でモータ５０を停止した後（図５における、時刻ｔ＝Ｔ１１　）ブレーキ手段６０を解除とＰＷＭ信号のドライブ回路５５への入力を同時（図５における、時刻ｔ＝Ｔ１２　）に行うように制御する場合、ＰＷＭ信号のドライブ回路５５への入力してから、実際に版胴１８が回転し始めるまでに、遅延時間（Δｔ）が生じる。さらに、版胴１８が停止状態から所定の回転速度に到達するまでの加速時間Δα２　は、２００ｍｓ　程度要する。従って、図４に示した本実施の形態おける加速時間Δα１　は、図５の比較例における加速時間Δα２　の４０％程度と短く、版胴１８は急加速しながら回転駆動されることがわかる。
【００４３】
以上、本発明の実施形態について詳細に説明したが、本発明は、その精神または主要な特徴から逸脱することなく、他の色々な形で実施することができる。
【００４４】
例えば、図３に示したフローチャートでは、ステップＳ５において孔版原紙３を切断し、その後、ステップＳ６においてＰＷＭ信号をドライブ回路５５に入力する例を示しているが、ＰＷＭ信号をドライブ回路５５に入力する処理を先に行い、その後、孔版原紙３を切断しても良い。もしくは、孔版原紙３の切断と、ドライブ回路５５へのＰＷＭ信号入力とを同時に行っても良い。
【００４５】
このように、前述の実施例はあらゆる点で単なる例示に過ぎず、限定的に解釈してはならない。本発明の範囲は、特許請求の範囲によって示すものであって、明細書本文には何ら拘束されない。さらに、特許請求の範囲の均等範囲に属する変形や変更は、全て本発明の範囲内のものである。
【００４６】
【発明の効果】
本発明によれば、ファーストプリント工程において、印刷用紙の版胴からの剥離性能を向上し、さらに、ファーストプリント工程に要する時間を短縮できる、孔版印刷装置及びその制御方法を提供することができる。
【図面の簡単な説明】
【図１】本発明の実施の形態による孔版印刷装置の構成例を示す概略構成図である。
【図２】図１に示す孔版印刷装置の制御系の概略構成例を示すブロック図である。
【図３】図１に示す孔版印刷装置によるファーストプリント工程の処理動作例を示すフローチャートである。
【図４】図１に示す孔版印刷装置によるファーストプリント工程の制御タイミングを例示するタイミングチャートである。
【図５】一般的な孔版印刷装置によるファーストプリント工程の制御タイミングを、比較例として示すタイミングチャートである。
【符号の説明】
１…孔版印刷装置
２…画像読み取り部
３…孔版原紙
４…製版部
５…印刷部
６…原稿載置部
７…供給装置
８…読み取り手段
９…ベルト
１０…プーリ
１１…往復移動手段
１２…イメージセンサ
１３…製版手段
１４…搬送手段
１５…カッター部
１６…サーマルヘッド
１７…プラテンローラ
１８…版胴
１９…押圧ローラ
２０…印刷用紙
２１…中心軸線
２２…インキ供給手段
２３…インキ供給ローラ
２４…ドクターローラ
２５…クランプ手段
２６…給紙部
２７…給紙台
２８…給紙ローラ
２９…紙捌きローラ
３０…排紙部
３１…用紙分離爪
３２…排紙手段
３３…排紙台
３４…ベルト
３５…プーリ
３６…排版部
３７…原紙分離爪
３８…排版ローラ
３９…排版箱
４０…タイミングローラ対
５０…モータ
５５…ドライブ回路
６０…ブレーキ手段
７０…制御手段
【図１】
2004122679.tif 000003
【図２】
2004122679.tif 000004
【図３】
2004122679.tif 000005
【図４】
2004122679.tif 000006
【図５】
2004122679.tif 000007